(57)【要約】【課題】復連引き戸からなる門扉において、後続扉の後端部とガイド柱の間に発生する隙間を隙間塞ぎ部材により有効に塞ぐ。【解決手段】複連引き戸からなる門扉の後続扉の後端部側の縦枠の外側面に、その縦枠の下端部外側面に取付けられているバンパーの上側において、ガイド柱の至近位置まで突出する隙間塞ぎ部材を、その隙間塞ぎ部材の戸当り柱側面が前記バンパーの戸当り柱側面と共通の垂直面上に存在するように取付けた。【選択図】図１
2011226080.tif 000002
【特許請求の範囲】
【請求項１】
複連引き戸からなる門扉において、
後続扉の戸尻側縦枠の外側面に隙間塞ぎ部材を取付けたこと、
前記隙間塞ぎ部材は、開門時において先導扉の戸尻側縦枠の外側面の下端部に取付けられているストッパーが前記後続扉の戸尻側縦枠の外側面の下端部に取付けられているバンパーと当接する位置の上方に取り付けられ、かつ、閉門時においてガイド柱の至近位置まで突出することを特徴とする門扉。
【請求項２】
隙間塞ぎ部材は、戸尻側縦枠のバンパーの直近位置から戸尻側縦枠の上端部まで連続していることを特徴とする請求項１に記載の門扉。
【請求項３】
隙間塞ぎ部材は、ブラケットを介して取り付けられていることを特徴とする請求項１又は２に記載の門扉。
【発明の詳細な説明】
【技術分野】
【０００１】
本発明は、複連引き戸からなる門扉に関する。
【背景技術】
【０００２】
門扉には、複連引き戸からなるものと、引き違い引き戸からなるものとがある。
複連引き戸からなる門扉は、図９に示すように、一つの扉(先導扉ＡＤ)を閉鎖方向もしくは開放方向に移動すると、他の扉（後続扉ＢＤ）も閉鎖方向もしくは開放方向に連動して、門通路Ｐを閉鎖もしくは開放するものである。図９(ａ)は、先導扉ＡＤが後続扉ＢＤよりも外側に配置されている例であり、図９(ｂ)は、先導扉ＡＤが後続扉ＢＤよりも内側に配置されている例である。いずれの場合も、先導扉ＡＤの戸尻側縦枠１Ａには後続扉ＢＢＤ側に突出するストッパー３が、後続扉Ｂの戸尻側縦枠１Ｂには先導扉ＡＤ側に突出するバンパー３が設けられていて、先導扉ＡＤが開放方向に移動されるときは、ストッパー３がバンパー３に当って、その後は、両扉が所定の全開位置まで併走するようになっている。ここで、戸尻側縦枠とは、当該扉の閉鎖方向に対して後端部側の縦枠をいう。
【０００３】
図９において、Ｗ１,Ｗ２は門通路Ｐを形成する左右の塀であり、ＳＰは一方の塀Ｗ１の内側に立設された戸当り柱であり、ＧＰは他方の塀Ｗ２の内側に立設された２連式ガイド柱である。Ｇ１，Ｇ２は、ガイド柱ＧＰの上端部に取付けられ、各扉をガイドローラにより走行自在に保持するガイド部材である。
【０００４】
複連引き戸からなる門扉においては、複数の扉が地面上に戸当り柱ＳＰからガイド柱ＧＰを越える位置まで敷設された外レールＡＲ及び内レールＢＲに内外にずらして配置されるので、図９(ａ)に示すように、先導扉ＡＤが後続扉ＢＤの外側に配置される場合は、閉鎖位置の後続扉ＢＤの後端部とガイド柱ＧＰの間に、一例として１３０〜１５０ｍｍ程度の隙間Ｃ１が発生し、また、図９(ｂ)に示すように、先導扉ＡＤが後続扉ＢＤの内側に配置される場合は、戸当り柱ＳＰと塀Ｗ１の間に同様の隙間Ｃ２が発生する。従って、複連引き戸からなる門扉においては、先導扉ＡＤが後続扉ＢＤの内外いずれの側に配置されても、隙間Ｃ１,Ｃ２が発生することが避けられないという問題があった。
【０００５】
他方、引き違い引き戸からなる門扉は、図１０に示すように、左右の塀Ｗ１,Ｗ２により形成される門通路Ｐの内側において左右両側に内外にずらして立設した各戸当り柱ＳＰ１，ＳＰ２から互いに他の戸当り柱側に向けて地面上にレールＡＲ, ＢＲを敷設し、各レール上に内外の扉ＣＤ，ＤＤを走行自在に載せ、その扉を門通路Ｐの中間位置に立設したガイド柱ＧＰの上端部に取付けたガイド部材Ｇ３のガイドローラにより引き違い自在に保持するものである。引き違い引き戸からなる門扉においても、扉ＣＤ，ＤＤは、内外方向にずらして配置されるので、内側の扉ＤＤの戸当り柱ＳＰ２と塀Ｗ２との間に、やはり隙間Ｃ３が発生することが避けられない。
【０００６】
上記隙間Ｃ1，Ｃ２，Ｃ３をそのまま放置することは、門外側から覗き見られるので防犯上好ましくなく、風や落ち葉等のごみの吹き込みや小動物の侵入を招くことにもなるので、対策が望まれている。このような門扉において、戸当り柱と塀との間に発生する隙間を塞ぐ部材を取り付ける技術的思想は、例えば、特許文献１、２、３に開示されている。
【先行技術文献】
【特許文献】
【０００７】
【特許文献１】特開２０００−５４７６７号公報  0022
【特許文献２】特開２００４−６０３２７号公報  0012、0037、0040   図１
【特許文献３】特開２００４−６０３２８号公報  0038  図１
【発明の概要】
【発明が解決しようとする課題】
【０００８】
しかしながら、図９(ａ)の先導扉ＡＤが後続扉ＢＤの外側に配置される複連引き戸からなる門扉においては、ストッパーとバンパーの正常な当接を妨げずに、しかも、有効に隙間塞ぎができるように、塞隙間塞ぎ部材を取り付けることが容易でない。
さらに、上記隙間を形成する部材や状況は全てが共通ではなく、上記隙間Ｃ１,Ｃ２,Ｃ３によって異なる。すなわち、Ｃ１は内側の扉ＢＤと塀Ｗ２により形成され、Ｃ２は戸当り柱ＳＰと塀Ｗ１により形成され、Ｃ３は戸当り柱ＳＰ２と塀Ｗ２により形成されている。このように状況が種々異なる場合にも、同じ要領で簡易に、かつ、有効に取付けることができる隙間塞ぎ部材の開発が望まれていた。
【０００９】
従って、本発明は、特に復連引き戸からなる門扉において、後続扉の後端部とガイド柱の間に発生する隙間を隙間塞ぎ部材により有効に塞ぐこと、かつ、隙間塞ぎ部材を先導扉のストッパーと後続扉のバンパーの正常な当接を妨げないように取付けることを目的とする。
【課題を解決するための手段】
【００１０】
本発明は、上記目的を達成するため、複連引き戸からなる門扉において、後続扉の戸尻側縦枠の外側面に隙間塞ぎ部材を取付けたこと、前記隙間塞ぎ部材は、開門時において先導扉の戸尻側縦枠の外側面の下端部に取付けられているストッパーが前記後続扉の戸尻側縦枠の外側面の下端部に取付けられているバンパーと当接する位置の上方に取り付けられ、かつ、閉門時においてガイド柱の至近位置まで突出することを特徴としている。
また、隙間塞ぎ部材は、戸尻側縦枠のバンパーの直近位置から戸尻側縦枠の上端部まで連続していることを特徴としている。
さらに、隙間塞ぎ部材は、ブラケットを介して取り付けられていることを特徴としている。
【発明の効果】
【００１１】
本発明によれば、複連引き戸からなる門扉を閉鎖した状態では、後続扉の戸尻側縦枠とガイド柱の間の隙間は、その下端部がバンパーにより塞がれ、そのバンパーの上側は隙間塞ぎ部材により塞がれる。従って、後続扉の戸尻側縦枠とガイド柱の間に隙間が生じないので、覗き込み防止その他の防犯効果のほか、風やごみ等の吹き込み、小動物の侵入などが有効に防止される。また、隙間塞ぎ部材は開門時の後続扉のバンパーが先導扉のストッパーと当接する位置の上方に存在するので、門扉開放時に隙間塞ぎ部材が先導扉のストッパーと後続扉のバンパーの正常な当接を妨げることがない。 
【図面の簡単な説明】
【００１２】
【図１】本発明を適用した複連引き戸からなる門扉の閉鎖状態における正面図である。
【図２】同平面図である。
【図３】同開放状態における正面図である。
【図４】同平面図である。
【図５】図３の円Ｖ部の拡大図である。
【図６】隙間塞ぎ部材取付装置の一使用例を示す断面図である。
【図７】同じく他の使用例を示す断面図である。
【図８】隙間塞ぎ部材取付装置を用いて隙間塞ぎ部材が取付けられる門扉の例を示す平面図である。
【図９】複連引き戸からなる門扉において隙間が発生する場所を示す平面図である。
【図１０】引き違い戸からなる門扉において隙間が発生する場所を示す平面図である。
【発明を実施するための形態】
【００１３】
続いて、本発明の実施の形態について図面を参照しながら説明する。
図１及び図２は、先導扉ＡＤが後続扉ＢＤの外側に配置されている場合の複連引き戸からなる門扉を示すものであり、同図において、門通路Ｐを形成する塀W１、W２のうち、一方の塀W１の内側には戸当り柱ＳＰが、他方の塀W２の内側には２連式のガイド柱ＧＰが立設されていて、地面に戸当り柱ＳＰからガイド柱ＧＰを越えた所定の位置まで敷設されているレールＡＲには、先導扉ＡＤが戸車を介して走行自在に載せられ、また、レールＡＲの内側において門通路Ｐの中間点からガイド柱ＧＰを越えたレールＡＲと同じ位置まで敷設されているレールＢＲには、後続扉ＢＤが戸車を介して走行自在に載せられている。そして、先導扉ＡＤは、後続扉ＢＤの戸当り柱側端部の上部に設けられた保持部材Ｈ及びその保持部材に取り付けられている図示されていないガイドローラにより開閉方向に相対移動が可能に保持されている。後続扉ＢＤは、ガイド柱ＧＰの上端部に取付けられているガイド部材Ｇ１，Ｇ２の図示されていないガイドローラにより開閉方向に移動自在に保持されている。
【００１４】
後続扉ＢＤの戸当り柱ＧＰと反対側の縦枠、すなわち、戸尻側縦枠１Ｂの下端部には、既存のバンパー３が取付けられている。その戸尻側縦枠１Ｂの外面、すなわち、塀Ｗ２に対向する面には、その塀方向に突出する隙間塞ぎ部材４が、バンパー３よりも上側に取付けられている。隙間塞ぎ部材４は、横断面短冊形の好ましくは合成樹脂製又は金属製の中空形材でパネル状に構成され、バンパー３の直近位置から後続扉ＢＤの上端部まで連続しており、後に詳述されるように、上下のブラケット５により取付けられている。隙間塞ぎ部材４の後続扉ＢＤからの塀方向突出量は、図２に示されているように、閉鎖状態においてガイド柱ＧＰと後続扉ＢＤの間の隙間をできるだけ多く塞ぐことができるように設定されている。また、隙間塞ぎ部材４の戸当り柱側の面は、図５に示すように、バンパー３の戸尻側縦枠１Ａの下端部に設けてあるストッパー２との当接面とほぼ共通の垂直面上に存在するように取付けられている。
【００１５】
図１,２に示されている閉鎖位置に存在する先導扉ＡＤを開放方向に移動すると、先導扉ＡＤの戸当り柱ＳＰと反対側、すなわち、戸尻側縦枠１Ａの下端部に設けてあるストッパー２がバンパー３に当るため、先導扉ＡＤを開け続けると、後続扉ＢＤも連動して開放方向に移動される。隙間塞ぎ部材４の戸当り柱側の面と、ストッパー２とバンパー３との当接面はほぼ共通の垂直面上に存在するので、バンパー３の緩衝機能は妨げられず、また、先導扉ＡＤが隙間塞ぎ部材４に激突して、これを破損することが防止されている。
【００１６】
そして、図３、４に示すように、先導扉ＡＤを所定の閉鎖位置まで移動すると、先導扉ＡＤの戸車がレールＡＲに突設されているストッパーに当たって止められる。このとき、隙間塞ぎ部材４は後続扉ＢＤの後端部とガイド柱ＧＰとの間の隙間のバンパー３よりも上側部分を塞ぎ、バンパー３はその隙間の下端部を塞ぐ。従って、後続扉ＢＤとガイド柱ＧＰとの間から内側を覗き見されたり、風や落ち葉等のごみが吹き込んだり、犬猫などの小動物が侵入することを有効に防ぐことができる。
【００１７】
隙間塞ぎ部材４の後続扉ＢＤの戸尻側縦枠１Ｂに対する取付けは、図６に示されているような、隙間塞ぎ部材取付け装置ＦＡを用いて行うことができる。図６において、縦枠１Ｂには、後続扉ＢＤの後端部側に開口するあり溝１１が形成されている。また、隙間塞ぎ部材４には、一端部に凹溝３１が形成されている。５は隙間塞ぎ部材４を縦枠１Ｂに固着するためのブラケットであり、短冊状の金属板から形成され、大小二つのアングル部、すなわち、第１アングル部５ａと第２アングル部５ｂを結合した形状を備えている。
【００１８】
第１アングル部５ａは、縦枠１Ｂの側面とその側面に隣接する外側面とに沿って直角に折曲されており、第２アングル部５ｂは、隙間塞ぎ部材４の凹溝３１の底面とその底面に連続する一方の壁面とに沿って直角に折曲されている。
【００１９】
さらに詳しくは、第１アングル部５ａの端部の辺５１は、縦枠１Ｂの後端面の幅とほぼ等しい幅を有している。また、端部の辺５１に連なる中間部５２の長さは、このブラケット５を用いて隙間塞ぎ部材４を次述するように縦枠１Ｂに取付けた場合に、隙間塞ぎ部材４が開門時においてバンパー３がストッパー２と当接する位置の上方に存在するように設定されている。
第２アングル部５ｂの端部の辺５４は、隙間塞ぎ部材４の凹溝３１の幅とほぼ等しい幅を有し、端部の辺５４に連なる中間部５３は、隙間塞ぎ部材４の凹溝３１の深さよりも若干大きい長さを有している。
そして、両端部の辺５１，５４のそれぞれのほぼ中央にビス貫通孔５１ｈ，５２ｈが形成されている。
【００２０】
ブラケット５は、まず、一端部の辺５４を隙間塞ぎ部材４の凹溝３１の底面に当接し、そのビス貫通孔５４ｈにビスｂ１をねじ込んで、いわば小さなアングル部が隙間塞ぎ部材４に固着される。続いて、そのブラケット５の他端部の辺５１を後続扉ＢＤの縦枠１Ｂの後端面に当接して、ビス貫通孔５１ｈからビスｂ２を縦枠１Ｂのあり溝１１に挿入したビス受け部材６にねじ込むことにより、いわば大きなアングル部が縦枠１Ｂに固着される。ブラケット５は、縦枠１Ｂの上下複数箇所に取り付けられる。これにより、隙間塞ぎ部材４を縦枠１Ｂの所定の位置に容易に取付けることができる。
【００２１】
隙間塞ぎ部材を取付ける装置は、上述のように、幅方向一端側に溝を形成された隙間塞ぎ部材と、短冊状の金属板で形成され、門扉の縦枠又は戸当り柱の側面とその側面に隣接する外側面とに沿って直角に折曲されている第１アングル部及び前記隙間塞ぎ部材の溝の底面とその底面に連続する一方の壁面とに沿って直角に折曲されている弟２アングル部を有し、両端部にビス貫通孔が形成されているブラケットとから構成されていることが望ましい。
【００２２】
隙間塞ぎ部材取付け装置ＦＡは、図７（ａ）に示すように、先導扉ＡＤが後続扉ＢＤの外側に配置される複連引き戸門扉における後続扉ＢＤの戸尻側縦枠１Ａに隙間塞ぎ部材４を取付ける場合のほか、図７（ｂ）に示すように、先導扉ＡＤが後続扉ＢＤの内側に配置される複連引き戸門扉における戸当り柱ＳＰや、図７（ｃ）に示すように、引き違い引き戸ＣＣ，ＤＤからなる門扉における内側戸当り柱ＳＰに隙間塞ぎ部材４を取付ける場合にも、適用することができる。
【００２３】
図８は、先導扉ＡＤが後続扉ＢＤの内側に配置される複連引き戸門扉における戸当り柱ＳＰに隙間塞ぎ部材取付け装置ＦＡを適用する場合を示す。この図において、隙間塞ぎ部材４とブラケット５は、図６に示されたものと同一である。図８(ｂ)の戸当り柱ＳＰは、門通路Ｐと反対側の面に図６に示されたものと同一のあり溝１１が形成されている例であるのに対し、図８(ａ)の戸当り柱ＳＰは溝１１が形成されていない例である。この場合も、ブラケット５は、戸当り柱ＳＰの上下複数箇所に取り付けられる。
【００２４】
図８(ｂ)のあり溝１１が形成された戸当り柱ＳＰを左右反転すれば、図７（ｃ）の内側戸当り柱ＳＰ２に用いることができる。
【００２５】
幅方向一端側に溝を形成された隙間塞ぎ部材と、短冊状の金属板で形成され、門扉の縦枠又は戸当り柱の側面とその側面に隣接する外側面とに沿って直角に折曲されている第１アングル部及び前記隙間塞ぎ部材の溝の底面とその底面に連続する一方の壁面とに沿って直角に折曲されている第２アングル部を有し、両端部にビス貫通孔が形成されているブラケットとからなる隙間塞ぎ部材取付装置によれば、ブラケットは、その一端部を隙間塞ぎ部材の一端部に固着できるとともに、他端部を門扉の縦枠又は戸当り柱のいずれの側面にも固着することができるので、隙間塞ぎ部材を複連引き戸からなる門扉と引き違い引き戸からなる門扉のいずれにも同じ要領で簡易に取付けることができる
【符号の説明】
【００２６】
ＡＤ    複連引き戸からなる門扉の先導扉
ＢＤ    複連引き戸からなる門扉の後続扉
１Ａ    先導扉の後端部側の縦枠
１Ｂ    後続扉の後端部側の縦枠
２      ストッパー
３      バンパー
４      隙間塞ぎ部材
５      ブラケット
５１、５４    端部
５２、５３    中間部
ＣＤ    引き違い戸からなる門扉の外側扉
ＤＤ    引き違い戸からなる門扉の内側扉
ＳＰ、ＳＰ1、ＳＰ２    戸当り柱
【図１】
2011226080.tif 000003
【図２】
2011226080.tif 000004
【図３】
2011226080.tif 000005
【図４】
2011226080.tif 000006
【図５】
2011226080.tif 000007
【図６】
2011226080.tif 000008
【図７】
2011226080.tif 000009
【図８】
2011226080.tif 000010
【図９】
2011226080.tif 000011
【図１０】
2011226080.tif 000012